(57)【要約】【課題】第１にはユーザの好みやユーザの体格等に応じて矯正力を適宜調整でき、第２には肩や脇への当たりを弱くして使用感を向上させることができる姿勢矯正ベルトを提供すること。【解決手段】人体の両肩に装着する円環状の左右の肩ベルト部１１Ｌ，１１Ｒと、その左右の肩ベルト部１１Ｌ，１１Ｒに基部が縫い付けられ、先端部にそれぞれ連結部１３Ｌ，１３Ｒが設けられた左右の矯正ベルト部１２Ｌ，１２Ｒとからなり、使用する場合には、左右の矯正ベルト部１２Ｌ，１２Ｒ先端の連結部１３Ｌ，１３Ｒ同士を連結して肩ベルト部１１Ｌ，１１Ｒを繋げて左右の肩ベルト部１１Ｌ，１１Ｒをそれぞれ両肩に装着して使用すると共に、連結部分の長さを変更することによって矯正ベルト部１２Ｌ，１２Ｒの矯正力を変更可能にした。【選択図】図１
2015073781.tif 000002
【特許請求の範囲】
【請求項１】
人体の両肩に装着する円環状の左右の肩ベルト部と、
その左右の肩ベルト部にそれぞれの基部が縫い付けられ、先端部にそれぞれ連結部が設けられた左右の矯正ベルト部とからなり、
使用する場合には、左右の矯正ベルト部先端の連結部同士を連結し、左右の肩ベルト部をそれぞれ両肩に装着して使用すると共に、連結部分の連結長さを変更することによって矯正ベルト部の矯正力を変更可能にしたことを特徴とする姿勢矯正ベルト。
【請求項２】
請求項１記載の姿勢矯正ベルトにおいて、
左右の矯正ベルト部先端の連結部には、それぞれ、重ね合わせることにより連結するオスとメスの面ファスナーが設けられており、重ね合わせた連結部分の連結長さを変更することによって矯正ベルト部の矯正力を変更可能にしたことを特徴とする姿勢矯正ベルト。
【請求項３】
請求項１または請求項２記載の姿勢矯正ベルトにおいて、
左右の肩ベルト部の引張力は、左右の矯正ベルト部の引張力よりも小さいことを特徴とする姿勢矯正ベルト。
【請求項４】
請求項１〜請求項３のいずれか一の請求項に記載の姿勢矯正ベルトにおいて、
左右の肩ベルト部は、それぞれ、外側端部から幅方向の中央部より内側端部側に近い境界部分までは所定幅の１枚の幅広ゴムである一方、その境界部分から内側端部までは、所定幅の２枚の幅広ゴムで構成されており、その境界部分から内側端部までの２枚の幅広ゴムの間に矯正ベルト部の基部を挿入し、矯正ベルト部の基部を挟んでいる箇所でのみ２枚の幅広ゴムの内側端部と矯正ベルト部と縫い付けて矯正ベルト部の基部と肩ベルト部と連結する一方、それ以外の内側端部では２枚の幅広ゴムを互いに縫い合わせないことを特徴とする姿勢矯正ベルト。
【請求項５】
請求項１〜請求項４のいずれか一の請求項に記載の姿勢矯正ベルトにおいて、
左右の矯正ベルト部は、２本以上の強力幅広ゴムを使用して構成されており、その強力幅広ゴムの先端部側ではほぼ全部が重なって連結部に縫い付けられている一方、その強力幅広ゴムの基端部側ではその先端部側よりも重なり幅が小さく幅方向に広がっているものの重なり部分を有した状態で左右の肩ベルト部に縫い付けられていることを特徴とする姿勢矯正ベルト。
【発明の詳細な説明】
【技術分野】
【０００１】
本発明は、両肩に装着して使用する姿勢矯正ベルトに関する。
【背景技術】
【０００２】
猫背や前屈み姿勢の習慣、持続により背筋が曲がると、姿勢やスタイルが悪くなるといった美容面ばかりでなく、肩こり、腰痛の原因となるなど健康面にも多大な影響を与える。そこで、例えば、８の字形状の矯正ベルトを両肩に装着して使用するシンプルな姿勢矯正ベルトが提案されている（例えば、特許文献１，２参照。）。
【先行技術文献】
【特許文献】
【０００３】
【特許文献１】特開２０１１−２５０９７４号公報
【特許文献２】特許第４８２９０４３号公報
【発明の概要】
【発明が解決しようとする課題】
【０００４】
しかし、姿勢矯正ベルトは、体格の小さい子供や女性から体格の大きい成人男性まで使用対象とするが、体格の大きさが違うため、上述の特許文献１，２に記載の姿勢矯正ベルトでは、体の大きさに合わせて、成人男性用や、子供用等、幾つかのサイズを用意しなければならず、コストがかかるという問題もある。
【０００５】
また、ユーザによって好みの矯正力は異なるので、ユーザの好みに応じて適宜矯正力を調整したいという要求があるものの、上述の特許文献１，２に記載の姿勢矯正ベルトでは矯正力を調整できないという問題点があった
【０００６】
さらに、上述の特許文献１，２に記載の姿勢矯正ベルトは、８の字形状の矯正ベルトを両肩に装着するため、矯正ベルトの矯正力である引張力を強くすると、矯正ベルトの肩や脇への当たりが強くなって肩や脇等に食い込み、長時間使用に耐えることが困難になると共に、矯正ベルトの引張力をあまり強くできないという問題点もあった。
【０００７】
そこで、本発明はこのような問題点に着目してなされたもので、第１にはユーザの好みやユーザの体格等に応じて矯正力を適宜調整でき、第２には肩や脇への当たりを弱くして使用感を向上させることができる姿勢矯正ベルトを提供することを目的とする。
【課題を解決するための手段】
【０００８】
上記課題を解決するため、本発明の姿勢矯正ベルトは、人体の両肩に装着する円環状の左右の肩ベルト部と、その左右の肩ベルト部にそれぞれの基部が縫い付けられ、先端部にそれぞれ連結部が設けられた左右の矯正ベルト部とからなり、使用する場合には、左右の矯正ベルト部先端の連結部同士を連結し、左右の肩ベルト部をそれぞれ両肩に装着して使用すると共に、連結部分の連結長さを変更することによって矯正ベルト部の矯正力を変更可能にしたことを特徴とする。
ここで、左右の矯正ベルト部先端の連結部には、それぞれ、重ね合わせることにより連結するオスとメスの面ファスナーが設けられており、重ね合わせた連結部分の連結長さを変更することによって矯正ベルト部の矯正力を変更可能にすると良い。
また、左右の肩ベルト部の引張力は、左右の矯正ベルト部の引張力よりも小さいとさらに良い。
また、左右の肩ベルト部は、それぞれ、外側端部から幅方向の中央部より内側端部側に近い境界部分までは所定幅の１枚の幅広ゴムである一方、その境界部分から内側端部までは、所定幅の２枚の幅広ゴムで構成されており、その境界部分から内側端部までの２枚の幅広ゴムの間に矯正ベルト部の基部を挿入し、矯正ベルト部の基部を挟んでいる箇所でのみ２枚の幅広ゴムの内側端部と矯正ベルト部と縫い付けて矯正ベルト部の基部と肩ベルト部と連結する一方、それ以外の内側端部では２枚の幅広ゴムを互いに縫い合わせないようにするとさらに良い。
また、左右の矯正ベルト部は、２本以上の強力幅広ゴムを使用して構成されており、その強力幅広ゴムの先端部側ではほぼ全部が重なって連結部に縫い付けられている一方、その強力幅広ゴムの基端部側ではその先端部側よりも重なり幅が小さく幅方向に広がっているものの重なり部分を有した状態で左右の肩ベルト部に縫い付けられているとさらに良い。
【発明の効果】
【０００９】
本発明の姿勢矯正ベルトによれば、使用する場合には、左右の矯正ベルト部先端の連結部同士を連結し、左右の肩ベルト部をそれぞれ両肩に装着して使用すると共に、連結部分の連結長さを変更することによって矯正ベルト部の矯正力が変更可能であるため、ユーザの好みやユーザの体格等に応じて矯正力を適宜調整できる。
また、肩ベルト部の引張力を矯正ベルト部の引張力よりも小さくしたり、矯正ベルト部の基部が連結される内側端部で矯正ベルト部の基部を挿入して挟んでいる箇所でのみ２枚の幅広ゴムと矯正ベルト部とが縫い付け、それ以外の内側端部では２枚の幅広ゴムが縫い合わせないこと等によって、肩や脇に対する肩ベルト部の当たりが弱くなり、姿勢矯正ベルトの使用感を向上させることができる。
【図面の簡単な説明】
【００１０】
【図１】本発明に係る実施形態の姿勢矯正ベルトを胸側から見た正面図である。
【図２】本発明に係る実施形態の姿勢矯正ベルトを背中側から見た背面図である。
【図３】本発明に係る実施形態の姿勢矯正ベルトを大柄な体格のユーザに合わせて連結部を連結した状態を示す背面図である。
【図４】本発明に係る実施形態の姿勢矯正ベルトを通常の体格のユーザに合わせて連結部を連結した状態を示す背面図である。
【図５】本発明に係る実施形態の姿勢矯正ベルトを小柄な体格のユーザに合わせて連結部を連結した状態を示す背面図である。
【図６】本発明に係る実施形態の姿勢矯正ベルトの右側だけを示す正面図である。
【図７】（ａ），（ｂ）それぞれ本発明に係る実施形態の姿勢矯正ベルトをユーザに装着した状態を示す平面図、背面図である。
【図８】（ａ），（ｂ）それぞれ本発明に係る実施形態の姿勢矯正ベルトが伸びる前の状態と、伸びた後の状態を示す背面図である。
【図９】本発明に係る実施形態の姿勢矯正ベルトを使用しない場合の収容状態の一例を示す正面図である。
【発明を実施するための形態】
【００１１】
以下、本発明に係る実施形態の姿勢矯正ベルトについて説明する。
図１は、本発明に係る実施形態の姿勢矯正ベルト１を胸元側から見た正面図、図２は、その姿勢矯正ベルト１を背中側から見た背面図である。また、図３〜図５は、その姿勢矯正ベルト１をユーザの体格に合わせて連結部１３Ｌ，１３Ｒを連結した状態を示す背面図である。
【００１２】
図１および図２に示すように、本実施形態の姿勢矯正ベルト１は左右一対の矯正ベルト１Ｌ，１Ｒから構成されており、矯正ベルト１Ｌ，１Ｒはそれぞれ人体の両肩に装着する円環状の左右の肩ベルト部１１Ｌ，１１Ｒと、その左右の肩ベルト部１１Ｌ，１１Ｒに基部が縫い付けられ、先端部にそれぞれ連結部１３Ｌ，１３Ｒが設けられた左右の矯正ベルト部１２Ｌ，１２Ｒとから構成されている。
【００１３】
左右の連結部１３Ｌ，１３Ｒの連結面には、それぞれ、重ね合わせることにより接合するオスとメスの面ファスナー１３Ｌ１，１３Ｒ１が設けられており、重ね合わせた連結部分の連結長さを変更することによって矯正ベルト部１２Ｌ，１２Ｒの矯正力を変更できる。
【００１４】
つまり、図３に示すように左右の連結部１３Ｌ，１３Ｒのオスとメスの面ファスナー１３Ｌ１，１３Ｒ１の先端部側の例えば１／２前後同士を接着（接合）させることによって、左右の肩ベルト部１１Ｌ，１１Ｒの間が最も離れるので、大柄な人に適したサイズとなる。
【００１５】
また、図４に示すように左右の連結部１３Ｌ，１３Ｒのオスとメスの面ファスナー１３Ｌ１，１３Ｒ１のほぼ全面同士を接着させることによって、図３に示す場合よりも左右の肩ベルト部１１Ｌ，１１Ｒの間が狭くなり近付くので、通常の人に適したサイズとなる。
【００１６】
また、図５に示すように左右の連結部１３Ｌ，１３Ｒのオスとメスの面ファスナー１３Ｌ１，１３Ｒ１の後端部側の例えば２／３前後同士を接合させることによって、左右の肩ベルト部１１Ｌ，１１Ｒの間が図３や図４に示す場合よりも近接するので、小柄な女性や子供等に適したサイズとなる。
【００１７】
このように本実施形態の姿勢矯正ベルト１では、左右の連結部１３Ｌ，１３Ｒにおける連結面に面ファスナー１３Ｌ１，１３Ｒ１を設けたので、連結部１３Ｌ，１３Ｒの着脱やその繰り返しが容易になると共に、面ファスナー１３Ｌ１，１３Ｒ１の接着部分の長さ（面積）を調整することにより、ユーザが自分の体格に合わせて肩ベルト部１１Ｌ，１１Ｒの間隔を調整して、矯正ベルト部１２Ｌ，１２Ｒの張力を得ることができる。なお、左右の連結部１３Ｌ，１３Ｒのいずれの連結面にオスの面ファスナーが設けられていても、またメスの面ファスナーが設けられていてもどちらでも良い。
【００１８】
以上、図１〜図５で示したように、実施形態の姿勢矯正ベルト１は、連結部１３Ｌ，１３Ｒのオスまたはメスの面ファスナー１３Ｌ１，１３Ｒ１を除き、左右同一の矯正ベルト１Ｌ，１Ｒから構成されているので、図６では代表して姿勢矯正ベルト１の右側の矯正ベルト１Ｒの構成を詳細に説明する。
【００１９】
図６は、実施形態の姿勢矯正ベルト１の右側の矯正ベルト１Ｒの構成を詳細に示す正面図である。なお、上述したように左側の姿勢矯正ベルト１Ｌも面ファスナー１３Ｌ１を除き右側の矯正ベルト１Ｒと同様に構成されている。
【００２０】
つまり、右側の矯正ベルト１Ｒは、図６に示すように、外側端部から幅方向の中央部より内側端部側に近い境界部分１１Ｒ１までは所定幅の１枚の幅広ゴム１１Ｒ２である一方、その境界部分１１Ｒ１から内側端部では、所定幅の２枚の幅広ゴム１１Ｒ３，１１Ｒ４で構成されている。ここで、外側端部側の幅広ゴム１１Ｒ２の幅は、内側端部側の２枚の幅広ゴム１１Ｒ３，１１Ｒ４の幅よりも２倍近く広くしている。その結果、外側端部側の幅広ゴム１１Ｒ２の引張力（弾性力）は、内側端部側の２枚の幅広ゴム１１Ｒ３，１１Ｒ４の引張力（弾性力）よりも強くなっている。
【００２１】
そして、幅広ゴム１１Ｒ２と幅広ゴム１１Ｒ３，１１Ｒ４との境界部分１１Ｒ１に矯正ベルト部１２Ｒの基部先端が突き当るように２枚の幅広ゴム１１Ｒ３，１１Ｒ４の間に矯正ベルト部１２Ｒの基部を挿入して２枚の幅広ゴム１１Ｒ３，１１Ｒ４でその基部を挟み、矯正ベルト部１２Ｒの基部を挟んでいる箇所でのみ２枚の幅広ゴム１１Ｒ３，１１Ｒ４の内側端部と矯正ベルト部１２Ｒとを縫い目１１Ｒ５に示すように縫い付けて矯正ベルト部１２Ｒの基部と肩ベルト部１１Ｒと連結する。
【００２２】
その一方、それ以外の肩ベルト部１１Ｒの内側端部、すなわち２枚の幅広ゴム１１Ｒ３，１１Ｒ４の境界部分１１Ｒ１とは反対側の内側端部は、図６に示すように２枚の幅広ゴム１１Ｒ３，１１Ｒ４を互いに縫い合わせないようにしている。
【００２３】
そのため、図７（ａ），（ｂ）に示すように矯正ベルト部１２Ｌ，１２Ｒ先端の連結部１３Ｌ，１３Ｒのオスとメスの面ファスナー１３Ｌ１，１３Ｒ１を連結して肩ベルト部１１Ｌ，１１Ｒをそれぞれ両肩に装着して実施形態の姿勢矯正ベルト１を使用する際に、矯正ベルト部１２Ｒの基部の連結部分のみが縫い付けられた縫い目１１Ｒ５，１１Ｌ５は、図７（ｂ）に示すように背中側に位置する一方、その連結部分以外では２枚の幅広ゴム１１Ｒ３，１１Ｒ４が縫い合わせられていない内側端部が脇の下等に当たることになる。
【００２４】
その結果、肩ベルト部１１Ｌ，１１Ｒの内側端部の縫い目１１Ｌ５，１１Ｒ５が脇の下に当たることがなくなるので、実施形態の姿勢矯正ベルト１を装着しても、脇の下等が痛くなることが少なくなり、違和感が少なくなく長時間装着することができる。また、矯正ベルト部１２Ｌ，１２Ｒとして矯正力の強いゴムを使用したり、図５に示すように左右の肩ベルト部１１Ｌ，１１Ｒ間の間隔を短くして、矯正ベルト部１２Ｌ，１２Ｒの矯正力を強くした場合でも、２枚の幅広ゴム１１Ｒ３，１１Ｒ４が縫い合わせられていない内側端部が脇の下等に当たるので、脇の下に食い込むことが少なくなり、本実施形態の姿勢矯正ベルト１の使用感（装着感）が向上する。
【００２５】
また、肩ベルト部１１Ｒの内側端部側の２枚の幅広ゴム１１Ｒ３，１１Ｒ４の引張力（弾性力）は、外側端部側の幅広ゴム１１Ｒ２の引張力（弾性力）はよりも弱く、しかも矯正ベルト部１２Ｒ，１２Ｌの基部以外では２枚の幅広ゴム１１Ｒ３，１１Ｒ４が縫い合わせられていないので、この点でも脇の下に当たる左右の肩ベルト部１１Ｌ，１１Ｒの内側端部をソフトに形成することが可能になり、本実施形態の姿勢矯正ベルト１の使用感を向上させることができる。
【００２６】
さらに、矯正ベルト部１２Ｒの基部は、肩ベルト部１１Ｒの２枚の幅広ゴム１１Ｒ３，１１Ｒ４の間に挿入してその裏表両側から２枚の幅広ゴム１１Ｒ３，１１Ｒ４で挟んで縫い目１１Ｒ５で縫い付けて固定しているため、後述するように表側で使用しても、あるいは裏返してリバーシブル状態で使用しても、矯正ベルト部１２Ｒの基部端部がユーザの皮膚に当たることがなくなり、この点でも本実施形態の姿勢矯正ベルト１の使用感が向上する。
【００２７】
なお、図７（ａ），（ｂ）に示すように矯正ベルト部１２Ｌ，１２Ｒ先端の連結部１３Ｌ，１３Ｒのオスとメスの面ファスナー１３Ｌ１，１３Ｒ１を連結して肩ベルト部１１Ｌ，１１Ｒをそれぞれ両肩に装着して実施形態の姿勢矯正ベルト１を使用すると、肩甲骨を支点として腹部や胸部を前方へ押し出すことになり、両肩を後方へ反らせた姿勢に矯正することができる。
【００２８】
また、左右の肩ベルト部１１Ｌ，１１Ｒの引張力（弾性力）は、左右の矯正ベルト部１２Ｌ，１２Ｒの引張力（弾性力）よりも小さくしており、また、肩ベルト部１１Ｌ，１１Ｒが伸びる長さは、矯正ベルト部１２Ｌ，１２Ｒの伸びる長さよりも短くしている。
【００２９】
そのため、矯正ベルト部１２Ｌ，１２Ｒに引張力の強いベルトを使用して、図７（ａ），（ｂ）に示すように装着して使用しても、脇の下や肩に当たる肩ベルト部１１Ｌ，１１Ｒは、矯正ベルト部１２Ｌ，１２Ｒよりも引張力（弾性力）の弱いものであるため、この点でも、姿勢矯正ベルト１を装着した際の違和感を少なくすることができ、長時間装着することができ、本実施形態の姿勢矯正ベルト１の使用感を向上させることができる。
【００３０】
また、本実施形態の姿勢矯正ベルト１では、矯正ベルト部１２Ｌ，１２Ｒは、肩ベルト部１１Ｌ，１１Ｒよりも引張力（弾性力）が強力な強力幅広ゴム１２Ｌ１，１２Ｌ２、１２Ｒ２，１２Ｒ２を２本使用して構成しており、図６に示すように（ただし、図６は、右側の姿勢矯正ベルト１Ｒの構成のみを示しており、左側の姿勢矯正ベルト１Ｌも図示しないものの同様に構成されている。）、その強力幅広ゴム１２Ｒ１，１２Ｒ２の先端部側ではほぼ全部が重なって連結部１３Ｒに縫い付けられているのに対し、その強力幅広ゴム１２Ｒ１，１２Ｒ２の基端部側では、その先端部側よりも重なり幅が小さく幅方向に広がっているものの、重なり部分を有した状態で肩ベルト部１１Ｒに縫い付けられている。
【００３１】
そのため、図８（ａ）に示す通常状態から図８（ｂ）に示すように矢印の横方向に引っ張ってこの姿勢矯正ベルト１の矯正ベルト部１２Ｌ，１２Ｒに引張力をかけ伸ばしても、肩ベルト部１１Ｌ，１１Ｒの内側縁部と矯正ベルト部１２Ｌ，１２Ｒの基端部との連結部分それぞれで強力幅広ゴム１２Ｌ１，１２Ｌ２の基端部間および強力幅広ゴム１２Ｒ２，１２Ｒ２の基端部間で隙間（空間）が空かないので、矯正ベルト部１２Ｌ，１２Ｒそれぞれを構成する強力幅広ゴム１２Ｌ１，１２Ｌ２、１２Ｒ２，１２Ｒ２が戻る弾性力を逃さず確実に矯正力を両肩の間に掛けることができる。また、その際、ユーザの背中の皮や肉などを強力幅広ゴム１２Ｌ１，１２Ｌ２の基端部間および強力幅広ゴム１２Ｒ２，１２Ｒ２の基端部間の隙間（空間）で挟むこともなくなるので、この点でも姿勢矯正ベルト１の使用感を向上させることができる。
【００３２】
なお、引張力（弾性力）の点では、矯正ベルト部１２Ｌ，１２Ｒの強力幅広ゴム１２Ｌ１，１２Ｌ２、１２Ｒ２，１２Ｒ２が最も強く、次に肩ベルト部１１Ｌ，１１Ｒの外側端部側の幅広ゴム１１Ｒ２が強く、肩ベルト部１１Ｌ，１１Ｒの内側端部側の２枚の幅広ゴム１１Ｒ３，１１Ｒ４の引張力（弾性力）が最も弱くして、姿勢矯正ベルト１の矯正力を保持しつつ使用感を向上させている。
【００３３】
また、本実施形態の姿勢矯正ベルト１は、図１や図２等に示すように連結部１３Ｌ，１３Ｒのオスまたはメスの面ファスナー１３Ｌ１，１３Ｒ１以外は、左右同じ構成の矯正ベルト１Ｌ，１Ｒを使用しているので、使用しない場合は、図９に示すように左右の矯正ベルト１Ｌ，１Ｒの肩ベルト部１１Ｌ，１１Ｒや矯正ベルト部１２Ｌ，１２Ｒは重ねると共に、連結部１３Ｌ，１３Ｒのオスまたはメスの面ファスナー１３Ｌ１，１３Ｒ１同士を接着して収納することができる。
【００３４】
そのため、本実施形態の姿勢矯正ベルト１によれば、オスまたはメスの面ファスナー１３Ｌ１，１３Ｒ１同士を接着して収納することにより、不使用時にはコンパクトに収納することができる共に、矯正ベルト１Ｌ，１Ｒの一方だけの紛失も防止でき、軽量かつコンパクトで有用な姿勢矯正ベルト１を提供することができる。
【００３５】
また、本実施形態の姿勢矯正ベルト１は、図１や図２等に示すように連結部１３Ｌ，１３Ｒのオスまたはメスの面ファスナー１３Ｌ１，１３Ｒ１以外は、左右同じ構成の矯正ベルト１Ｌ，１Ｒを使用しているので、連結部１３Ｌ，１３Ｒに縫い付けるオスまたはメスの面ファスナー１３Ｌ１，１３Ｒ１を代えることによって矯正ベルト１Ｌ，１Ｒのどちらにも成り得るので、製造コストも低減することができる。
【００３６】
さらに、本実施形態の姿勢矯正ベルト１は、肩ベルト部１１Ｌ，１１Ｒや矯正ベルト部１２Ｌ，１２Ｒは、下着等で使用される布等で幅広ゴム等の柔軟な素材を利用しているので、表裏異なる色や柄の素材を付けておくことによって、表裏返すことによって色や柄違いのリバーシブルで使用することが可能になり、ファッション性も向上させることができる。
【００３７】
なお、本実施形態では、連結部１３Ｌ，１３Ｒとしてオス・メスの面ファスナー１３Ｌ１，１３Ｒ１を一例に説明したが、本発明ではこれに限らず、面ファスナー１３Ｌ１，１３Ｒ１以外の連結部分の長さ調整して矯正力を変更可能なホックやベルト等の連結手段を使用しても良い。
【符号の説明】
【００３８】
１  姿勢矯正ベルト
１Ｌ，１Ｒ  左右の矯正ベルト
１１Ｌ，１１Ｒ  肩ベルト部
１１Ｌ１，１１Ｒ１  境界部分
１１Ｒ２，１１Ｒ３，１１Ｒ４  幅広ゴム
１１Ｌ５，１１Ｒ５  縫い目
１２Ｌ，１２Ｒ  矯正ベルト部
１２Ｌ１，１２Ｌ２、１２Ｒ２，１２Ｒ２  強力幅広ゴム
１３Ｌ，１３Ｒ  連結部
１３Ｌ１，１３Ｒ１  面ファスナー
【図１】
2015073781.tif 000003
【図２】
2015073781.tif 000004
【図３】
2015073781.tif 000005
【図４】
2015073781.tif 000006
【図５】
2015073781.tif 000007
【図６】
2015073781.tif 000008
【図７】
2015073781.tif 000009
【図８】
2015073781.tif 000010
【図９】
2015073781.tif 000011